(57)【要約】【課題】ロッドの着脱が簡単にできるロッド引き抜き装置の提供。【解決手段】一対のリンク７，８と、このリンク７，８を昇降する揺動棒材と、各リンク７，８に回動可能に取り付けられた複数の保持プレート９とを備え、この保持プレート９に形成されたガイド穴９ａにロッド３０を挿入した状態でリンク７，８を上昇させると、保持プレート９が回動し、ガイド穴９ａの両開口縁がロッド３０の外周面に当接することにより、ロッドを挟持しながら持ち上げるように構成されたロッド引き抜き装置１において、保持プレート９のガイド穴９ａは、側面が開口された形状を成すロッド引き抜き装置による。開口部９ｂからロッドを通すことにより、複数の保持プレート９に同時にロッド３０を着脱することが可能となるので、ロッド３０の着脱が簡単になる。【選択図】図２
2014012983.tif 000002
【特許請求の範囲】
【請求項１】
一対のリンクと、このリンクを昇降する昇降手段と、各リンクに回動可能に取り付けられた複数の保持プレートとを備え、この保持プレートに形成されたガイド穴にロッドを挿入した状態でリンクを上昇させると、保持プレートが回動し、ガイド穴の両開口縁がロッドの外周面に当接することにより、ロッドを挟持しながら持ち上げるように構成されたロッド引き抜き装置において、
前記保持プレートのガイド穴は、側面が開口された形状を成すことを特徴とするロッド引き抜き装置。
【発明の詳細な説明】
【技術分野】
【０００１】
本発明は、地盤調査において地中に貫入したロッドを引き抜くための装置に関する。
【背景技術】
【０００２】
従来、各種建造物の建築に先立って、敷地の硬軟を知るために所定深度までの地質調査が行われている。この地質調査には、大規模建造物の場合、大型のボーリング掘削機を用いたボーリング試験が適用されるが、住宅などの比較的小規模な建造物を建築する場合などには、安い費用で簡単に必要なデータを得ることのできるスウェーデン式サウンディング試験方法が利用されている。このスウェーデン式サウンディング試験方法は、先端にスクリューポイントと称される略円錐形状の掘削体を取り付けたロッドに荷重を負荷し、必要に応じて回転させながら地中に貫入するものであり、２５０ｍｍ貫入する毎に、その時の荷重およびその間のロッドの半回転数（ロッド半回転を１として計数したロッドの回転回数）を測定する試験である。この試験において、ロッドは先端の掘削体が所望の深さに達するまで順次継ぎ足して地中に貫入され、試験終了後は地中から引き抜いて何回も繰り返し利用される。
【０００３】
また、ロッドの引き抜きに際しては、特許文献１に示すロッド引き抜き装置が利用される。このロッド引き抜き装置は、支持台に揺動自在に支持された揺動棒材と、この揺動棒材の先端に取り付けられたロッド保持部とから構成される。このロッド保持部は、揺動棒材に揺動自在に連結された一対のリンクと、各リンクに回動可能に取り付けられた複数の保持プレートと、一対のリンクの保持プレートと保持プレートとの間に他方のリンクの保持プレートが介在するよう各保持プレートを交互に連結し、各保持プレートが一斉に回動するよう構成した連結プレートとを有する。また、前記保持プレートには、各保持プレートが一斉に回動することによって同一中心線上に整列可能なガイド穴がそれぞれに形成されており、ガイド穴にロッドを挿入することでロッドを引き抜き装置に装着する。
【先行技術文献】
【特許文献】
【０００４】
【特許文献１】特許第２７５１０４６号公報
【発明の概要】
【発明が解決しようとする課題】
【０００５】
しかしながら、前記保持プレートのガイド穴は、平面及び底面だけが開口した形状であり、全ての保持プレートにロッドを挿入するには、ロッドの上端からガイド穴を順番に通さなければならなかった。このため、引き抜き装置にロッドを装着する作業に手間がかかっていた。
【０００６】
本発明の目的は、ロッドの着脱が簡単にできるロッド引き抜き装置を提供することである。
【課題を解決するための手段】
【０００７】
一対のリンクと、このリンクを昇降する昇降手段と、各リンクに回動可能に取り付けられた複数の保持プレートとを備え、この保持プレートに形成されたガイド穴にロッドを挿入した状態でリンクを上昇させると、保持プレートが回動し、ガイド穴の両開口縁がロッドの外周面に当接することにより、ロッドを挟持しながら持ち上げるように構成されたロッド引き抜き装置において、前記保持プレートのガイド穴は、側面が開口された形状を成すことを特徴とするロッド引き抜き装置による。
【発明の効果】
【０００８】
以上説明した本発明によれば、保持プレートの側面が一部開口しているので、この開口部にロッドを通すことにより、ロッドの横方向から複数の保持プレートをロッドに同時に着脱することが可能となるので、ロッドの着脱が簡単になる。
【図面の簡単な説明】
【０００９】
【図１】本発明に係るロッド引き抜き装置の正面図である。
【図２】本発明に係るロッド引き抜き装置の要部を示す左側面図である。
【図３】本発明に係るロッド引き抜き装置の動作説明図である。
【図４】図３におけるＡ−Ａ線断面図である。
【図５】保持プレートに作用する力を示す説明図である。
【発明を実施するための形態】
【００１０】
以下、図面に基づき本発明の実施の形態を説明する。まず、本発明のロッド引き抜き装置の構成、作用を明確にするため、ロッドを地中に貫入して地質調査を行うスウェーデン式サウンディング貫入試験方法（以下、単に貫入試験方法という）について説明する。この貫入試験方法は、先端にスクリューポイントと称される掘削体を取り付けたロッド３０を、地表に対して軸線鉛直な状態で地中に貫入し、２５０ｍｍ貫入する毎に所定のデータを収集するものであり、ロッド３０は先端の掘削体が所望の深さに達するまで順次継ぎ足して貫入される。この貫入試験方法では、ロッド３０は基本的に２４５Ｎから９８０Ｎまで２４５Ｎ単位で増減される荷重のみによって貫入され、９８０Ｎの荷重のみで貫入できない場合に限り、回転によって貫入される。また、収集されるデータは、２５０ｍｍ貫入する間のロッド３０の半回転数（ロッド３０の半回転を１として計数した回転回数）と、その時点でロッド３０に負荷されている荷重とであり、試験終了後、これらのデータを整理して地質の判定が行われる。
【００１１】
本発明のロッド引き抜き装置１は、前記貫入試験方法によって地中深く貫入されたロッド３０を引き抜くために利用されるものであり、以下、その構成、作用を詳述する。図１において、１はロッド引き抜き装置であり、基板２ａ上に立設した支柱２ｂと、この支柱２ｂによって揺動可能に支持される揺動棒材３と、この揺動棒材３の先端に取り付けられたロッド保持部４とを有しており、揺動棒材３を揺動させることによってロッド保持部４を上下に移動させ、ロッド保持部４に保持したロッド３０を引き抜くように構成されている。なお、特許請求の範囲に記載した昇降手段の一例が揺動部材３である。
【００１２】
前記揺動棒材３の先端部には、等間隔に３箇所凹部５ａを設けた嵌合部材５が一体に取り付けられており、これら凹部５ａの何れかを選択して前記支柱２ｂ上端に嵌合させることで、その部分を支点として揺動棒材３が揺動できるように構成されている。また、この揺動棒材３の先端には略Ｕ字状の連結部３ａが一体に設けられており、この連結部３ａには吊り下げ部材の一例として屈折自在なチェーン部材６が揺動自在に連結されている。このチェーン部材６は、連結部３ａの分岐端にそれぞれ設けられており、その先端には前記ロッド保持部４が揺動自在に取り付けられている。なお、吊り下げ部材は、このチェーン部材６以外にロープ、ワイヤなどの線状部材、あるいは一端を連結部３ａに、他端をロッド保持部４にそれぞれ揺動自在に連結した板材などであってもよい。
【００１３】
図２及び図３に示すように、前記ロッド保持部４は、前記チェーン部材６先端にそれぞれ連結される一対のリンク７，８と、各リンク７，８に等間隔をおいて２個ずつ回動可能に連結される保持プレート９と、これら保持プレート９を一斉に回動可能に連結する連結プレート１０とを有し、リンク７，８、保持プレート９、連結プレート１０各部が連動するリンク機構を成すよう構成されている。前記リンク７，８は各２枚の板材から構成されており、保持プレート９を挟んで支持している。また、前記連結プレート１０は、一方のリンク７に取り付けられた保持プレート９と保持プレート９との間に他方のリンク８に取り付けられた保持プレート９が常時介在するよう、リンク７の保持プレート９とリンク８の保持プレート９とを交互に連結している。よって、保持プレート９と各リンク７，８との連結部は千鳥状を成している。さらに、前記保持プレート９には、それぞれガイド穴９ａが貫通して設けられており、図３に示すように、これらガイド穴９ａは各保持プレート９がリンク７，８に対して直角を成す位置に回動している時、同一中心線上に整列するように構成されている。このように、保持プレート９を水平にする動作は、連結プレート１０を手動で上へ持ち上げることで実行でき、保持プレート９のガイド穴にロッド３０を着脱する場合に使用する。
【００１４】
図４に示すように、前記保持プレート９のガイド穴９ａは、平面及び底面のみならず、左側面も開口した形状を成しており、当該開口部９ｂを備えることにより、平面視及び底面視において、当該ガイド穴９ａの輪郭は、Ｕ字を成す。この構成により、ロッド３０を横方向から保持プレート９のガイド穴９ａに挿入することが可能となり、一度に全ての保持プレート９にロッド３０を装着することができる。
【００１５】
上記ロッド引き抜き装置１によって、貫入試験によって地中深く貫入したロッド３０を引き抜く場合には、まず、地表に突出しているロッド３０に近接して支持台２を設置し、嵌合部材５の所望凹部５ａを支柱２ｂ上端に嵌合させて揺動棒材３を装着する。続いて、各保持プレート９のガイド穴９ａが同一直線上に位置するよう連結プレート１０を持ち上ける。この状態で、引き抜き装置１を前方へ移動させることにより、ロッド３０を横方向から保持プレート９のガイド穴９ａに挿入する。そして、持ち上げていた連結プレート１０を開放すれば、連結プレート１０の落下にともなって、各保持プレート９は、ガイド穴９ａの上下縁部がロッド３０に接触するまでリンク７，８に対して回動して傾斜する。その後、ロッド保持部４が上昇する方向に揺動棒材３を揺動させると、リンク７，８は連結プレート１０に対して上昇するため、各保持プレート９とロッド３０との接触部分の摩擦力が大きくなり、ロッド３０を保持して引き抜くことができる。
【００１６】
前述のようなロッド３０の引き抜きに際して、図５に示すように、リンク７，８を引き上げる力Ｔによって、保持プレート９とロッド３０との接触点にはそれぞれ水平方向の力Ｆが作用する。ロッドを保持した状態において、この力Ｆがロッド挟持する力となるので、ロッド３０を地中から引き抜くことができる。
【００１７】
一方、揺動棒材３をロッド保持部４が下降する方向に揺動させると、リンク７，８の下降によって、各保持プレート９にかかる力Ｆが解除される。そして、地中から引き抜いたロッド３０を保持プレート９の開口部９ｂから取り外すことができる。
【００１８】
上記ロッド引き抜き装置１によれば、保持プレート９の左側面が一部開口しているので、この開口部９ｂにロッド３０を通すことにより、各保持プレート９に同時にロッド３０を着脱することが可能となる。このため、従来の引き抜き装置のように、ロッド３０を縦方向に移動させて全ての保持プレート９から取り外す必要がなくなり、ロッド３０の着脱が簡単になる。
【符号の説明】
【００１９】
１  引き抜き装置
２ａ  基板
２ｂ  支柱
３  揺動棒材
４  ロッド保持部
５  嵌合部材
５ａ  凹部
６  チェーン部材
７，８  リンク
９  保持プレート
９ａ  ガイド穴
９ｂ  開口部
１０  連結プレート
３０  ロッド
【図１】
2014012983.tif 000003
【図２】
2014012983.tif 000004
【図３】
2014012983.tif 000005
【図４】
2014012983.tif 000006
【図５】
2014012983.tif 000007